(57)【要約】【課題】  従来の正規使用者認証システムにおける不正使用防止手段は、設備コストが高価になるため実施されないか、あるいは操作が煩雑になるため採用されず、３回程度の誤入力を許容しているのが現状であり、依然として、カードの不正使用による被害が後を絶たない状況にある。【解決手段】  パスワードの入力により正規の使用者を確認するセキュリティシステムにおいて、パスワードに用いる数字、文字、記号以外の文字、数字、記号を、パスワードに使用しない禁忌ワードとして少なくとも一つ登録し、禁忌ワードが入力された場合、正規の使用者以外の使用者による不正使用と判断し、使用を停止するとともに、必要に応じて警告を発する。【選択図】図１
2006059306.tif 000002
【特許請求の範囲】
【請求項１】
パスワードの入力により正規の使用者を確認するセキュリティシステムにおいて、パスワードに用いる数字、文字、記号以外の文字、数字、記号を、パスワードに使用しない禁忌ワードとして少なくとも一つ登録し、禁忌ワードのいずれかが入力された場合、正規の使用者以外の使用者による不正使用と判断し、使用を停止することを特徴とする禁忌ワードによる不正使用防止方法。
【請求項２】
パスワードの入力により正規の使用者を確認するセキュリティシステムにおいて、パスワードに用いる数字、文字、記号以外の文字、数字、記号を、パスワードに使用しない禁忌ワードとして少なくとも一つ登録し、禁忌ワードが入力された場合、正規の使用者以外の使用者による不正使用と判断し、使用を停止するとともに警告を発することを特徴とする禁忌ワードによる不正使用防止方法。
【請求項３】
セキュリティシステムが自動現金預け払い機およびキャッシュカードからなる請求項１または２記載の禁忌ワードによる不正使用防止方法。
【請求項４】
セキュリティシステムがプリペイドカードシステム、携帯端末による支払いシステムのいずれかである請求項１または２記載の禁忌ワードによる不正使用防止方法。
【請求項５】
パスワードが数字の組合せからなる暗証番号である請求項１〜４記載の禁忌ワードによる不正使用防止方法。
【請求項６】
使用しない数字、文字、記号の少なくとも一つを禁忌ワードとして登録する請求項１〜５記載の禁忌ワードによる不正使用防止方法。
【請求項７】
禁忌ワードが禁忌数字、禁忌文字、禁忌記号の少なくともいずれかである請求項１〜６記載の禁忌ワードによる不正使用防止方法。
【請求項８】
登録された禁忌ワードのいずれかが入力された場合、入力者をモニターする監視カメラからの顔画像が不正使用者リストに登録される請求項１〜７記載の禁忌ワードによる不正使用防止方法。
【請求項９】
カードの使用を一時的に停止するか、またはカードを長期的に使用不能にするか、あるいはカードを回収する請求項１〜８記載の禁忌ワードによる不正使用防止方法。
【請求項１０】
カードの使用停止措置は、カード自体に登録するか、または現金自動預け払い機を管理するコンピュータに登録する請求項１〜９記載の禁忌ワードによる不正使用防止方法。
【請求項１１】
警告が、非常ランプの点灯、音声によるアナウンスの少なくともいずれかにより、公衆の注意を喚起する請求項１〜１０記載の禁忌ワードによる不正使用防止方法。
【請求項１２】
警告が、セキュリティシステムの係員または警備員に通報する請求項１〜１１記載の禁忌ワードによる不正使用防止方法。
【請求項１３】
禁忌ワードの少なくともいずれかを２個以上登録しておき、正規の所有者以外の使用者により入力された禁忌ワードの数により、警告の内容が決められる請求項１〜１２記載の禁忌ワードによる不正使用防止方法。
【請求項１４】
禁忌ワードをセキュリティシステムの端末から入力、または変更する請求項１〜１３記載の禁忌ワードによる不正使用防止方法。
【請求項１５】
禁忌ワードの登録により正規所有者以外の使用を防止する禁忌システムを利用するか否かを、カード所有者が選択または変更できる請求項１〜１４記載の禁忌ワードによる不正使用防止方法。
【請求項１６】
パスワードの入力により正規の使用者を確認するセキュリティシステムにおいて使用するカードであって、パスワードに用いる数字、文字、記号以外の文字、数字、記号を、パスワードに使用しない禁忌ワードとして少なくとも一つ登録したことを特徴とする禁忌ワードによる不正使用防止カード。
【請求項１７】
パスワードの入力により正規の使用者を確認するセキュリティシステムにおいて、少なくとも、パスワードおよび情報の入力部と、カード読み取り部と、パスワードに用いる数字、文字、記号以外の文字、数字、記号を、パスワードに使用しない禁忌ワードとして少なくとも一つ登録しかつ記憶する記憶部と、禁忌ワードが入力された場合、正規の使用者以外の使用者による不正使用と判断し、カード使用の可否を決定する入力情報判断部とを有することを特徴とする不正使用防止システム。
【請求項１８】
パスワードの入力により正規の使用者を確認するセキュリティシステムにおいて、少なくとも、パスワードおよび情報の入力部と、カード読み取り部と、パスワードに用いる数字、文字、記号以外の文字、数字、記号を、パスワードに使用しない禁忌ワードとして少なくとも一つ登録しかつ記憶する記憶部と、禁忌ワードが入力された場合、正規の使用者以外の使用者による不正使用と判断し、カード使用の可否を決定する入力情報判断部と、警告内容を選択し警告指令を発する警告指令部とからなることを特徴とする不正使用防止システム。
【発明の詳細な説明】
【技術分野】
【０００１】  本発明は金融機関のＡＴＭ（自動現金預け払い機）で用いられるキャッシュカードやクレジットカードあるいは携帯端末等の不正使用を、禁忌ワードの導入により防止する方法、カードおよびシステムに関するものである。
【背景技術】
【０００２】  従来から、金融機関等における預金の引き出しおよび預け入れ、あるいは振込等の取引にＡＴＭが使用されている。【０００３】  このようなＡＴＭでは、その使用者を特定する意味から、個人識別情報などを磁気ストライプなどに記録可能なＩＤカード（所謂キャッシュカード）が使用されている。ここでいう個人識別情報とは、取引先（カード発行）の金融機関番号・支店番号・口座番号等である。【０００４】  ＡＴＭは、キャッシュカードの磁気ストライプなどからこれらの情報を読み取り、タッチセンサパネルなどの操作によって利用者が別途に入力した暗証番号の正否をセンターホストへ問い合わせることにより、正規の使用者であるかどうかを確認している。暗証番号は一般的に４桁の数字が使用されている。【０００５】  キャッシュカードが盗難や紛失によって他人の手に渡り、正規の使用者以外の人間が不正に使用することが問題になっている。ＡＴＭでキャッシュカードを使用する場合、パスワードとして４桁の暗証番号を入力して正規の使用者か否かを認証することが行われている。しかしながら、暗証番号には正規使用者の電話番号や生年月日、住所の番地等を利用することが多いので、キャッシュカードを個人情報が書かれた例えば運転免許証等の入った財布ごと盗まれたり紛失した場合は、そのカードを手に入れた者は、その個人情報に基づいて比較的容易に暗証番号を推定することができる。このため、暗証番号の入力操作を数回試行するだけで不正に現金を引き出すことができる。【０００６】  そこで、正規の使用者以外によるキャッシュカードなどの不正使用により、預金の引き出しが行われることを防止するため、以下のような防止対策が提案されている。
【特許文献１】  特開平９−２１２４５９号公報
【特許文献２】  特開平９−２３１４４６号公報
【特許文献３】  特開２０００−３２２５２９号公報
【特許文献４】  特開２００１−３１２４６９号公報
【特許文献５】  特開２００３−１０３９７１号公報
【０００７】
【特許文献１】は、従来の番号の組合せによる識別方法では、意味のない番号は忘れやすく、また意味のある簡単な番号（たとえば、誕生日、電話番号など）は他人が類推しやすく、キャッシュカードの紛失、盗難などの際、容易に暗証番号が知られ、不正に使用される恐れがあった。そのため、ＣＲＴ画面上に複数の色を、近似している色の順に並べた色列として複数列を表示し、ＣＲＴ画面上に設けられたタッチパネルによる各色列毎の色の選択が、ＣＤ機に挿入されたカードのデータに対応して正規使用者識別用に設定された色指定と一致した場合に、正規の使用者と確認する。
【０００８】
【特許文献２】は不正使用に対する防御機構を充実させ、安全性を向上させることのできる自動取引装置である。そのため、連続して３回とも間違った暗証番号が入力された場合は、キャッシュカードを回収するとともに、磁気ストライプから読み取られた、口座番号などの情報を異常情報として記憶して処理を終了し、次の取引操作を待つ。そして、この状態で、次に取引が開始されると、キャッシュカードの磁気ストライプから情報を読み取り、異常情報として記憶されている情報とを比較することによって、今回挿入されているキャッシュカードが正当なものであるか否か等の判別を行う。
【０００９】
【特許文献３】はクレジットカードや銀行カードなどを使用した商取引きに際し、取引きの正当性を証明する正規使用者であることの認証確認は、１枚のカードを用いそれらカードの提示に加え、サインや認証のために正規使用者が決めた暗証番号などを用いこれらの照合を行い、正規使用者の認証を行っている。この場合、カード使用の際にサインや暗証番号などが表面に現れるため、不正使用に対する耐性が弱い。そのため、少なくとも主カード、従カードの２枚のカードと主カードに対応したカードリーダと、暗証番号入力機と、従カードに対応した情報交信機と、認証を判定する情報処理機を用いて認証を行う。正規使用者の認証は、主カードの認証情報と暗証番号と従カードの認証情報、あるいは認証装置を動作させるための情報を識別できた時点で認証が成立することとする
【００１０】
【特許文献４】はＡＴＭにおけるキャッシュカードの不正使用を防止するもので、そのためユーザがＡＴＭにキャッシュカードを挿入し暗証番号を誤入力すると、誤入力信号が出力され、監視カメラが撮影したユーザの顔画像データを画像処理ＰＣに取り込む。その顔画像データと同じ顔画像データが誤入力人物顔画像データベースに登録されているか否かが検索される。登録されていればその顔画像データの入力回数を１増やし、登録されていなければ、その顔画像データを新規に登録し、誤入力回数を１とする。誤入力回数が所定値を超えたときは、その顔画像データのユーザを不審人物と認識し、その顔画像データを不審人物顔画像データベースに登録する。その後、ユーザが誤入力すると、監視カメラで撮影したそのユーザの顔画像データが上記データベースに登録されているか否かが検索され、登録されていれば警報信号を出力する。
【００１１】
【特許文献５】は運転免許証のような公的な免許証や会社のＩＤカードやクレジットカード、プリペイドカードなどでは保有者本人の確認方法として、顔写真や持参者の筆跡照合、暗証番号等から確認してきた。この場合には本人であることを確実に確認できないために、指紋照合を取り入れ、指紋データを用いる方法が考えられたが、画像データとして記録容量をカードに備える必要があった。そのため、ＩＣカードやクレジットカード等に形成した磁気や光記録メモリー、ＩＣメモリーには本人の暗証番号や個人情報を保存し、指紋照合のデータの保存方法としては、それらのカードの表面に硬化性の厚膜を形成しておき、磁気や光記録メモリー、ＩＣメモリーに保存するためのデジタルやアナログ化した画像メモリーとして保存するのではなく、直接カードに指紋形状を形成し、その指紋と本人の指紋を照合するシステムを形成することによりカードを保有する本人であることを確認する。
【発明の開示】
【発明が解決しようとする課題】
【００１２】  しかしながら、
【特許文献１】はＣＲＴ画面上に色列を複数列表示しなければならないので、ＡＴＭ機能が更に複雑化し、コスト高になる。
【特許文献２】は３回以内の不正使用を許容することになる。
【特許文献３】は２枚のカードが必要になるため、近年のカード普及状況を考慮すると、所持するカードの数が非常に多くなりすぎるおそれがあり、また２枚同時に紛失または盗難のときには有効ではないおそれがある。
【特許文献４は】
カード使用者の誤入力ごとに顔画像を蓄積するため、入力ミスの場合も顔画像を登録することになり、データの蓄積量が経時的に莫大な量となり、センターホストの設備負担が大きくなる。【特許文献５】はカード使用の際に指紋の照合も行うので、指紋の照合に時間がかかると、昼休み時間などに利用者が集中するＡＴＭコーナーでは、待ち時間が長くなるおそれがある。
【００１３】  従って、従来の方法では設備コストが高価になるため実施されないか、あるいは操作が煩雑になるため採用されず、３回程度の誤入力を許容しているのが現状であり、依然として、カードの不正使用による被害が後を絶たない状況にある。
【課題を解決するための手段】
【００１４】  本発明は、不正使用者に対しカードの不正使用を抑止することができる方法、カードおよびシステムを提供することを目的とするものである。
【００１５】  本発明の第１の不正使用防止方法は、パスワードの入力により正規の使用者を確認するセキュリティシステムにおいて、パスワードに用いる数字、文字、記号以外の文字、数字、記号を、パスワードに使用しない禁忌ワードとして少なくとも一つ登録し、禁忌ワードのいずれかが入力された場合、正規の使用者以外の使用者による不正使用と判断し、使用を停止することを特徴とする。
【００１６】  本発明の第２の不正使用防止方法は、パスワードの入力により正規の使用者を確認するセキュリティシステムにおいて、パスワードに用いる数字、文字、記号以外の文字、数字、記号を、パスワードに使用しない禁忌ワードとして少なくとも一つ登録し、禁忌ワードが入力された場合、正規の使用者以外の使用者による不正使用と判断し、使用を停止するとともに警告を発することを特徴とする。
【００１７】  以上の本発明の第１または第２の不正使用防止方法おいて、セキュリティシステムが自動現金預け払い機およびキャッシュカードからなることを特徴とし、またセキュリティシステムがプリペイドカードシステム、携帯端末による支払いシステムのいずれかであることを特徴とする。パスワードが数字の組合せからなる暗証番号であり、使用しない数字、文字、記号の少なくとも一つを禁忌ワードとして登録し、また禁忌ワードが禁忌数字、禁忌文字、禁忌記号の少なくともいずれかであることを特徴とする。登録された禁忌ワードのいずれかが入力された場合、入力者をモニターする監視カメラからの顔画像が不正使用者リストに登録される。さらにカードの使用を一時的に停止するか、またはカードを長期的に使用不能にするか、あるいはカードを回収する。カードの使用停止措置は、カード自体に登録するか、または現金自動預け払い機を管理するコンピュータに登録することを特徴とする。
【００１８】  警告が、非常ランプの点灯、音声によるアナウンスの少なくともいずれかにより、公衆の注意を喚起し、また警告が、カードシステムの係員または警備員に通報することを特徴とする。また禁忌ワードの少なくともいずれかを２個以上登録しておき、正規の所有者以外の使用者により入力された禁忌ワードの数により、警告の内容が決められることを特徴とする。禁忌ワードをカードシステムの端末から入力、または変更し、また禁忌ワードの登録により正規所有者以外の使用を防止する禁忌システムを利用するか否かを、カード所有者が選択または変更できることを特徴とする。
【００１９】  本発明のカードは、パスワードの入力により正規の使用者を確認するセキュリティシステムにおいて使用するカードであって、パスワードに用いる数字、文字、記号以外の文字、数字、記号を、パスワードに使用しない禁忌ワードとして少なくとも一つ登録することを特徴とする。
【００２０】  本発明の第１の不正使用防止システムは、パスワードの入力により正規の使用者を確認するセキュリティシステムにおいて、少なくとも、パスワードおよび情報の入力部と、カード読み取り部と、パスワードに用いる数字、文字、記号以外の文字、数字、記号を、パスワードに使用しない禁忌ワードとして少なくとも一つ登録しかつ記憶する記憶部と、禁忌ワードが入力された場合、正規の使用者以外の使用者による不正使用と判断し、カード使用の可否を決定する入力情報判断部とを有することを特徴とする。
【００２１】  本発明の第２の不正使用防止システムは、パスワードの入力により正規の使用者を確認するセキュリティシステムにおいて、少なくとも、パスワードおよび情報の入力部と、カード読み取り部と、パスワードに用いる数字、文字、記号以外の文字、数字、記号を、パスワードに使用しない禁忌ワードとして少なくとも一つ登録しかつ記憶する記憶部と、禁忌ワードが入力された場合、正規の使用者以外の使用者による不正使用と判断し、カード使用の可否を決定する入力情報判断部と、警告内容を選択し警告指令を発する警告指令部とからなることを特徴とする。
【発明の効果】
【００２２】  以上の本発明の第１および第２の禁忌ワードによる不正使用防止方法、禁忌ワードによる不正使用防止カード、第１および第２の禁忌ワードによる不正使用防止システムのいずれにおいても、カードの不正使用を試みた場合、最初の入力の際に禁忌番号、禁忌文字、禁忌記号を入力してしまうと、不正使用の目的が果たせないばかりか、社会的制裁を受けることにもなりかねないことになり、不正使用を軽々しく試みることが大幅に減少する。
【発明を実施するための最良の形態】
【００２３】  以下、本発明の実施の形態を図１に基づいて説明する。【００２４】  ＡＴＭ１は、タッチ画面２を有する入力部３と、現金出入口４を有する現金出入部５と、カード挿入口６を有するカード情報読み書き部７と、非常ランプ８と、スピーカ９とを備えている。ＡＴＭ１はセンターホストコンピュータ１１と接続され、相互にデータが通信可能になっている。センターホストコンピュータ１１は記憶部１２と入力情報判断部１３と警告指令部１４を少なくとも備えている。１台または複数台のＡＴＭ１が各地に点在することが可能であり、これらをセンターホストコンピュータ１１が一括管理することができる。図１中、１５は使用者、１６はキャッシュカード、１７は担当者、１８は警備員である。【００２５】  入力部３はキーワード、金額その他の取引情報およびキーワードに使用しない数字、文字、記号などの禁忌ワードを入力するもので、センターホストコンピュータ１１との通信下に、さらに禁忌ワードを使用するか否かを選択して入力できる。現金出入部５は現金の受け入れまたは指定された金額の現金を払い出すものである。カード情報読み書き部７はカード挿入口６に挿入されたキャッシュカード１６の磁気ストライプから、キャッシュカード１６を発行した金融機関番号・支店番号・口座番号などの個人識別情報を読み取り、センターホストコンピュータ１１と通信する。【００２６】  センターホストコンピュータ１１にはそれぞれのキャッシュカード１６を発行する際に、パスワードとして４桁の数字からなる暗証番号が記憶部１２またはキャッシュカード１６にそれぞれ登録されており、かつ所有者の任意の選択により、暗証番号に使用しない数字が禁忌ワードとして記憶部１２またはキャッシュカード１６に登録されている。【００２７】  キャッシュカード１６の取り扱いに慣れている場合には禁忌ワードとして２以上の禁忌数字を選択して登録することもできる。従ってキーワードに使用する数字以外の６個の数字を禁忌ワードとして登録することもできる。また、キーワードを変更した場合は、新しいキーワードに該当する数字、文字、記号は、前に登録された禁忌ワードに該当しても、禁忌ワードの登録が消滅する。【００２８】  また、キャッシュカード１６を使用した経験が少ない場合あるいは暗証番号を忘れやすい場合には、誤って押す可能性の少ない数字キーの数字を１個選択して登録することも可能であり、さらにキャッシュカード１６を初めて使用する場合、あるいは使用者の任意の選択により、禁忌ワードを設定しないこともできる。【００２９】  入力情報判断部１３は入力部３に入力された暗証番号と、キャッシュカード１６の個人識別情報に登録された暗証番号とを比較し、同一である場合には現金出入部５に手続き継続信号を送り、同一でない場合は現金出入部５に手続停止信号を送るとともに、入力された暗証番号の中に、登録された禁忌数字などの禁忌ワードが含まれているか否かを判断し、禁忌数字が含まれている場合には警告指令部１４に警告指令信号を送るようになっている。【００３０】  警告指令信号は各種の警告措置に対応して複数種類設定することができる。例えば、「禁忌ワードが入力されました」というメッセージ表示指令、手続き中��指令、キャッシュカード１６の使用停止措指令、キャッシュカード１６の使用不能指令、キャッシュカード１６の回収指令、非常ランプ８の点灯指令、非常ランプ８の点灯回転指令、スピーカ９からの音声警告指令として「パスワードに禁忌ワードが入力されました」、「パスワードに不正な入力がありました」、「キャッシュカードが不正に使用されようとしています」などの音声メッセージなどである。【００３１】  警告指令部１４は警告指令信号に基づいて、入力部３のタッチ画面２に「禁忌ワードが入力されました」、および「手続きを中止します」、「このキャッシュカードは使用できません。受付窓口にご相談ください」、「キャッシュカードを回収いたします」などのメッセージを表示するよう指令し、現金出入部５に手続きの中止を指令し、かつカード情報読み書き部７に禁忌ワードが入力された回数を加算し、あるいはキャッシュカード１６を一時的に使用できなくし、さらにキャッシュカード１６を回収するよう指令し、キャッシュカード１６の使用者１５に告知するようになっている。【００３２】  また、警告指令部１４は非常ランプ８を点灯させもしくは点灯して回転させ、スピーカ９から「パスワードに禁忌ワードが入力されました」、「パスワードに不正な入力がありました」、「キャッシュカードが不正に使用されようとしています」などの音声メッセージなどにより、公衆の注意を喚起するようになっている。【００３３】  さらに、警告指令部１４はＡＴＭの担当者１７および／または警備員１８に有線または無線の通信により通報して、担当者１７、警備員１８に対応させ、確認するようになっている。【００３４】  なお、警告指令部１４は、監視カメラ（図示せず）でモニターしている使用者１５の顔画像をセンターホストコンピュータ１１の記憶部１２に登録し、過去に登録された禁忌ワード入力者の顔画像と比較するようにしてもよい。【００３５】  以下、上記構成の動作を説明する。使用者は金融機関などに預金口座を開設し、キャッシュカード１６の使用を申請する際、パスワードとして４桁の数字からなる暗証番号を設定する。その際、使用者は禁忌ワードを利用するか否かを任意に選択する。禁忌ワードを利用する場合は、キーワードとして入力することがない数字を１個から６個選択して、禁忌数字として登録する。禁忌数字は禁忌ワードとして、パスワードおよびその他の個人識別情報とともにセンターホストコンピュータ１１の記憶部１２に記憶される。ここで、キーワードおよび禁忌ワードをセンターホストコンピュータ１１またはキャッシュカード１６に記憶させる場合、第３者により容易に解読されないよう公知の方法により行う。【００３６】  キャッシュカード１６を不正に入手した使用者１５が、キャッシュカード１６をカード挿入口６に挿入すると、カード情報読み書き部７によりキャッシュカード１６に記録された個人識別情報が読み出され、センターホストコンピュータ１１の記憶部１２に記憶された個人識別情報（暗証番号、禁忌数字、預金口座番号など）が入力情報判断部１３に読み出される。使用者１５が正規の暗証番号を入力した場合は、入力情報判断部１３において入力された暗証番号と記憶された暗証番号とが一致すると判断し、正��の使用者として確認がなされ、入力情報判断部１３から入力部３、現金出入部５およびカード情報読み書き部７に、手続き継続指令が送られ、手続きが継続される。【００３７】  使用者１５の入力した暗証番号が記憶された暗証番号と一致しない場合は、入力された暗証番号の中に禁忌数字が含まれていないか否かを入力情報判断部１３で判断し、禁忌数字が含まれているときは、不正使用の可能性がありとして、警告信号を警告指令部１３に送る。この場合、禁忌数字が所有者により複数設定されており、かつ入力された暗証番号の中に禁忌数字が２個、または３個、あるいは４個含まれているときには、不正使用の可能性が高いと判断され、警告指令部１４に送る警告指令の警告度をより高めて、警告指令部１４は非常ランプ８を点灯させもしくは点灯して回転させ、あるいはスピーカ９から「パスワードとして禁忌の数字が入力されました」、「パスワードに不正な入力がありました」、「キャッシュカードが不正に使用されようとしています」などの警告度の異なる音声メッセージなどにより、公衆の注意を喚起する。警告度を高める場合は非常ランプ８とスピーカ９との両方により、警告するとともに公衆の注意を喚起してもよい。【００３８】  さらに、警告指令部１４はＡＴＭの担当者１７および／または警備員１８に有線または無線の通信により通報して、担当者１７、警備員１８に対応させ、確認させるようにする。【００３９】  従って、他人のキャッシュカード１６を拾得し、あるいは不正な手段で取得して、キャッシュカード１６を使用しようとしても、タッチ画面２からパスワードを入力したときに、禁忌数字が設定されているか否かが心配である。禁忌数字が登録されていて、パスワードを入力したときに禁忌数字に該当した場合のことを予想すると、誰も不正使用をしようと考えないであろう。パスワードとして入力された番号が正規の暗証番号と一致せずかつ禁忌数字が含まれていない場合は、再度パスワードの入力の機会が与えられることになり、２回目に入力した暗証番号の中に禁忌数字が無ければ、再度暗証番号を入力することができるが、３回目の入力の際に、禁忌番号を入力する確率も高まることは容易に予測されるので、不正使用をさらに試みることについてためらいが生ずることは明らかである。【００４０】  以上において、セキュリティシステムとしてＡＴＭ１とキャッシュカード１６の場合について説明したが、各種プリペイドカードシステム、クレジットカードシステムなどの場合でも同様に適用できる。さらに、携帯電話、ＰＨＳなどの携帯端末を用いた非接触通信による取引にも適用できる。
【図面の簡単な説明】
【００４１】
【図１】  本発明の禁忌ワードによる不正使用防止システムの実施の形態を示すブロック図。
【符号の説明】
【００４２】  １  ＡＴＭ
２  タッチ画面
３  入力部
４  現金出入口
５  現金出入部
６  カード挿入口
７  カード情報読み書き部
８  非常ランプ
９  スピーカ
１１  センターホストコンピュータ
１２  記憶部
１３  入力情報判断部
１４  警告指令部
１５  使用者
１６  キャッシュカード
【図１】
2006059306.tif 000003